Podtech/llm-jp-corpus-v4-ja_patent huggingface dataset:
(57)【要約】【課題】既存の木材搬送システム機械に、さらに、効率の上がる木材搬送機械がないものか課題としていた。本発明のジグザグ滑車は、これらの問題解決を図り有用な効果のもたらすことを目的とする。【解決手段】軽量で持ち運びの楽なジグザグ滑車を取り入れ、木材搬送効果を有効に有用な搬送システム装置を提供する。【選択図】なし【特許請求の範囲】
【請求項１】
ジグザグ滑車を軽量な仕様にし・取り外しを容易にし・移動を容易としたことから持ち運びが楽で効果・効率を高め有せしめたことを特徴とする。
【請求項２】
ジグザグ滑車のワイヤー径の適合を１０から１２ｍｍにしたことを特徴とする。
【請求項３】
ジグザグ滑車の荷重を１０００ｇにしたことを特徴とする。
【請求項４】
ジグザグ滑車の構造は、本発明趣旨を逸脱しない範囲の変更は、本発明に含まれる。
【発明の詳細な説明】
【技術分野】
【０００１】本発明は、木材の搬送システムに関し、伐採木材を効率よく集材する装置の提供。
【背景技術】
【０００２】従来、伐採木材の搬送は、伐採箇所から集材箇所までの搬送手段として自走の支柱装置を備え、集材の都度支柱の移動手段を取っていた。
【発明の開示】
【発明が解決しようとする課題】
【０００３】本発明の流体圧縮機械は、堆積物の流体密度を増すことにより作業効率を高める。
既存の圧縮機械に、本装置を有せしめる効果は、結束設置することを有しての、簡易で安価な装置を提供することを目的とする。
【課題を解決するための手段】
【０００４】本発明は、支柱の移動・多くの人手・集材中に残存木への損傷等効率・低能率が問題になっていた。このことは、ジグザグ滑車の有効性から一つ、又は複数の組み合わせで方向転換の容易にし、荷卸位置に配置を可能としジグザグ滑車を設置することにより、木材の搬出、かつ残存木の保全を可能とし、上記目的を達成する。
【発明の効果】
【０００５】ジグザグ滑車を経由することで荷降ろし位置まで搬送を可能とし、作業効率効果機能を備える。【０００６】ジグザグ滑車は、複雑な位置に設定することができ、効率的な搬送作業が実現でき、作業処理、運搬を容易にすることから経済効果を生む。【０００７】ジグザグ滑車は、軽量に仕様し、取り外しを可能とし、移動を可能とすることから持ち運びが楽で効果効率が発揮できる。【０００８】本発明は、立地の悪い斜面に高い効率を上げ、全体的に効率の高い搬送作業が実現でき利用範囲が広い。
【発明を実施するための最良の形態】
【０００９】本発明の実施形態は実施済であり、効率的な運搬作業が可能となる。【００１０】ワイヤー径の適合を１０から１２ｍｍにしたことを特徴とする。【００１１】最大荷重を１０００ｋｇにしたことを特徴とする．。【００１２】上記構造面の単一、もしくは組み合わせ構造を可能とし、移設、移動を可能とした多機能を特徴とする。【００１３】ジグザグ滑車の構造は、形状、強度、素材等実態の状況把握によって対応策を考慮したことを特徴とすることから、本発明趣旨を逸脱しない範囲の変更は、本発明に含まれる。
【産業上の利用可能性】
【００１４】本発明のジグザグ滑車は、複雑な困難な地形において効率的な機能を高める機械であり、作業効率、能率向上が発揮される。【００１５】さらに、作業方向進行変換が簡単操作でしかも安価で安心、安全な機械を提供し、産業の育成に貢献できる。
(57)【要約】      （修正有）【課題】自分にあったお好みで加減のできる安価なローラー・マッサージ機を提供する。【解決手段】手こぎオール（１）式背筋延ばしマッサージ機は、寝台（１１）に薄手のマットを敷き仰向けに寝て、手こぎオール（１）をこぐだけで移動ローラー（２）がレール（４）の上を肩首から足首まで移動して背筋を伸ばしマッサージができる。【選択図】図１
2011115524.tif 000002
【特許請求の範囲】
【請求項１】
手こぎオール（１）式背筋延ばしマッサージ機は、寝台（１１）に薄手のマットを敷き仰向けに寝て、手こぎオール（１）をこぐだけで移動ローラー（２）がレール（４）の上を肩首から足首まで移動して背筋を伸ばしマッサージができる。電動式でもよいが、手こぎオール（１）式で構造を簡単にした。
【請求項２】
他者により寝台（１１）の足側から出ている２本の手動ヒモ（９）を左右交互に引くと移動ローラー（２）が前後にレール（４）を転がる背筋伸ばしマッサージ機で、この際は手こぎオール（１）は抜いて取り外す。
【請求項３】
ローラー（２）の取り替えが自由にできるのが特徴で、ローラーの本数やローラーの種類［図５］の外も選択もでき、更に身体に合った間隔でもセットができる。また手こぎオール（１）式では身体の指圧ポイントに集中して動かせる。
【発明の詳細な説明】
【技術の分野】
【０００１】  マッサージ・ローラーは多種の選択式で、はめ込み型として、手こぎでレールの上を転がしマッサージする。また他者が紐を交互に引くだけで移動ローラーが前後に移動する。ローラーの種類や本数、配置も指圧ポイントに合わせて自由に変えられる。この背筋を延ばせるローラー・マッサージ機に関するものである。
【背景技術】
【０００２】  従来の電動ローラー・マッサージ機は動きが一定の繰り返しでローラーの取り替えもできなかった。身体の凝ったポイントに集中することもできなかった。
【発明の開示】
【発明が解決しようとする課題】
【０００３】  これには次のような欠点があった。寝台式ローラー・マッサージ機に限らず、多くのマッサージ機は初めはよく効くが、同じローラーで同じ動きでは、間もなく身体が慣れてしまい、あまり効果がなくなる。高価な商品にも拘わらず、だんだんと使われなくなる傾向があった。
【課題を解決するための手段】
【０００４】  本発明は身体が慣れてくるとローラーを変え、その時の体調に合わせてローラーの種類や本数が選択ができる。ローラーの選択配置はローラー溝（３）に嵌め変えるだけでよい。手動のためローラーの移動速度も自由にでき、凝った箇所にローラーの動きを集中させることもできる。手こぎは腕の運動にもなり自力のない者には他者に左右の紐を引き戻ししてもらうだけで移動ローラー（２）がマッサージをしてくれる。構造を簡単にして安価になる構成にした。
【発明の効果】
【０００５】  従来のローラー・マッサージ機の機械的な動きとローラーに変化を加えるために、手こぎオール式にしてローラーの種類や本数をお好みに自由に交換できるようにした。手動だから疲れのポイントに動きを集中さすこともできる。また他者によるマッサージは紐を交互に引くだけでローラーが動くようにもした。
【発明を実施するための最良の形態】
【０００６】  以下、本発明を実施するための最良の扱いについて説明する。
まず、移動ローラー台（２）に自分の体調に合わせたローラーの種類［図５］を選択し配置して、その本数も自由に選びローラー溝（３）に嵌め込む。始めは柔らかく次第に強いものに取り替えて行くと効果が上がる。寝台（１１）の中央の手こぎオール（１）の差し込み口に挿入して、身体を踏ん張り棒（１３）で支えて寝たままの腕で、この手こぎオール（１）を前後に押し引きするとオール支点（６）でテコになりワイヤー（１０）から誘導ゴマ（７）を通じて車輪（４）がレール（５）を転がり移動ローラー台（２）が背筋を伸ばしてくれる。手こぎオール（１）を自力でこげない人は、他者に寝台（１１）から出ている２本の手動ヒモ（９）を交互に引けば移動  ローラー台（２）は動いてマッサージができる。
【図面の簡単な説明】
【０００７】
【図１】  本発明の横断面図（Ａ）である。
【図２】  本発明の横断面図（Ｂ）である。
【図３】  本発明の前断面図である。
【図４】  本発明の移動ローラー台の斜視図である。
【図５】  本発明のローラーの種類の一例図である。
【符号の説明】
【０００８】  １  手こぎオール
２  移動ローラー台
３  ローラー溝
４  車輪
５  レール
６  オール支点
７  誘導ゴマ
８  マット
９  手動ヒモ
１０  ワイヤー
１１  寝台
１２  オール・ストッパー
１３  踏ん張り棒
【図１】
2011115524.tif 000003
【図２】
2011115524.tif 000004
【図３】
2011115524.tif 000005
【図４】
2011115524.tif 000006
【図５】
2011115524.tif 000007
(57)【要約】      （修正有）【課題】つり輪で身体を持ち上げるとバネの力で自然にリクライニングが始まり同時に足の台も上がってきて４屈折５面に角度のつくリクライニング式ソファー・ベッドを提供する。【解決手段】ベッド１９で寝たままの状態から、つり輪１５で身体を持ち上げると、背もたれバネ１１と背もたれ支柱バネ１２の働きで背もたれ１と腰板５が自然にリクライニングして立ち上がってくる。足台３は背もたれ１が立ってくるに従って、同時に上昇するが、その高さは連結ワイヤー１３の長さで調整ができる。【選択図】図１
2011115523.tif 000002
【特許請求の範囲】
【請求項１】
ベッド（１９）で寝たままの状態から、つり輪（１５）で身体を持ち上げると、背もたれバネ（１１）と背もたれ支柱バネ（１２）の働きで背もたれ（１）と腰板（５）が自然にリクライニングして立ち上がってくる。足台（３）は背もたれ（１）が立ってくるに従って、同時に上昇するが、その高さは連結ワイヤー（１３）の長さで調整ができる。
【請求項２】
つり輪（１５）で身体を浮かすと背もたれ基点（４）と腰板基点（５）、足台基点（６）から、それに伴う背もたれ支柱（１０）の背もたれ長穴（７）と腰板長穴（８）と足台長穴（９）が一連的に基点と角度の距離を保ちながらマット（１８）が４つに折れてリクライニングが始まる。
【請求項３】
背もたれ支柱（１０）は背もたれバネ（１２）に引かれながら下がり、背もたれ長穴（７）のストッパー溝（１７）に嵌まり背もたれ（１）は固定はするが、安全のために固定ピン穴（１４）でも止められるようにした。ベッドに戻す場合はつり輪（１５）で背もたれ（１）を浮かせるとストッパー溝（１７）から背もたれ支柱（１０）が外れるので体重を掛けていくとベッド（１９）に戻り固定ピン穴（１４）で止める。
【発明の詳細な説明】
【技術の分野】
【０００１】  つり輪で身体を持ち上げるとバネの力で自然にリクライニングが始まる。同時に足の台も上がってきて４屈折５面に角度のつくベッドに関するものである。
【背景技術】
【０００２】  従来のリクライニング式ベッドは電動式のものでありモーターの動力に頼ったものしかなかった。体重を利用してリクライニングしてくるベッドはなかった。
【発明の開示】
【発明が解決しようとする課題】
【０００３】  これには次のような欠点があった。電動リクライニング・ベッドは高価で一般家庭には負担が大きく、在宅介護では高級品でなじまなくなっていた。在宅介護は通常の家庭では床敷きのマットか普通の家具ベッドでの介護で、床ずれや寝返りの介助の手数も多く、こんな課題をなくすためのベッドである。
【課題を解決するための手段】
【０００４】  つり輪で体重を腕の力で上げることでリハビリにもなり、電動モーターを使わずとも自重を浮かすとバネの力で自然にリクライニングが始まりベッドが立ち上がってくる。構造を簡素化することでベッドが安価になれば在宅介護にも普及ができる。
こんな介護ベッドを目指した構成した。
【発明の効果】
【０００５】  電気は使っていません。自分の腕で体重をつり輪で浮かせられる要介護者は多くいます。これだけできれば後は動力なしでベッドがリクライニングする。足台もついて上がってくる。これが体重をかけるだけでベッドに戻ります。自分の体重を生かした自然のベッドです。
【発明を実施するための最良の形態】
【０００６】  以下、本発明を実施するための最良の扱いについて説明する。
まず、ベッド（１９）に寝たまま［図３］で固定ピン（１４）を抜き、ベッド（１９）の上のつり輪支柱（１６）にセットされたつり輪（１５）で身体を持ち上げると、背もたれの基点（４）と腰板基点（５）と足台基点（６）を軸として、背もたれ支柱（１０）と背もたれバネ（１１）の力で背もたれ（１）や腰板（２）が背もたれ長穴（７）や腰板長穴（８）をそれぞれの基点（４）（５）からの距離を保ちながら誘導玉（Ｄ）が下がり、ベッドが斜めに起き上るのと同時に足台（３）も上がって［図１］［図２］となる。背もたれの長穴（７）を移動した誘導玉（Ｄ）はストッパー溝（１７）に背もたれの支柱バネ（１２）に引かれた背もたれ支柱（１０）の誘導玉が嵌まり固定される。安全のため固定ピン穴（１４）も設けた。同時に足台（３）も連結ワイヤー（１３）が足台基点（６）を軸に足台長穴（９）を引かれた誘導玉（Ｃ）によって上がって［図１］［図２］となる。足台の高さは連結ワイヤー（１３）の長さの調整で決まる。これでベッド（１９）のマット（１８）は４屈折して５面のソファー・ベッドになる。
【図面の簡単な説明】
【０００７】
【図１】  リクライニング式ソファー・ベッド（Ａ）横断面図である。
【図２】  リクライニング式ソファー・ベッド（Ｂ）横断面図である。
【図３】  リクライニング式ソファー・ベッドの横断面図である。
【図４】  リクライニング式ソファー・ベッドの平面図である。
【図５】  リクライニング式ソファー・ベッドの縦断面図である。
【図６】  リクライニング式ソファー・ベッドの各部の部品図である。
【符号の説明】
【０００８】  １  背もたれ
２  腰板
３  足台
４  背もたれ基点
５  腰板基点
６  足台基点
７  背もたれ長穴
８  腰板長穴
９  足台長穴
１０  背もたれ支柱
１１  背もたれバネ
１２  背もたれ支柱バネ
１３  連結ワイヤー
１４  固定ピン穴
１５  つり輪
１６  つり輪支柱
１７  ストッパー溝
１８  マット
１９  ベッド
【図１】
2011115523.tif 000003
【図２】
2011115523.tif 000004
【図３】
2011115523.tif 000005
【図４】
2011115523.tif 000006
【図５】
2011115523.tif 000007
【図６】
2011115523.tif 000008
(57)【要約】      （修正有）【課題】運動不足の人のための運動に、また立てない歩けないが車椅子で自走ができる腕力のあるハンディを抱えた人のために、この腕力を使って本人が自らの力でエコ・マッサージのできる電気を使わない医療器具を提供する。【解決手段】マッサージ・チェアの状態で懸垂装置（１）を引き寄せると、背中のモミ玉（５）がワイヤー（６）から滑車（７）を通じてローラーレール（４）を上がりマッサージができて、背もたれピンの差し替えでリクライニング椅子やベッドでもマッサージができる。下がりは力を緩めると下がりバネ（１４）が戻してくれる。【選択図】図１
2011115521.tif 000002
【特許請求の範囲】
【請求項１】
車椅子の自走のできる患者には腕の力があり、腕力を鍛えるための懸垂装置（２）は懸垂支点（３）を中心とした半回転式として、この力を利用してモミ玉（５）を上げ下げして身体をほぐす装置にした。自力のマッサージ・チェア［図１］とマッサージ・ベッド［図３］を合体させたものである。
【請求項２】
マッサージ・チェア［図１］の背もたれピン穴（９）からピンを抜くと、リクライニングさせられる。同時に足台（２２）も上がりベッド脚（１５）まで倒すとマッサージ・ベッド［図３］になる。
【請求項３】
前項の［図１］［図２］［図３］では、背中をほぐすモミ玉（５）は、懸垂装置（１）の力を利用してワイヤー（６）と滑車（７）の働きで引っ張ると上がり、力を抜くと下がりバネ（１４）で引き戻すようになる。この懸垂作用で同時に足ローラー（１０）も足ローラーはね棒（１１）を通じて上下して、足のふくらはぎをマッサージできるようになる。
【請求項４】
マッサージ・チェア［図１］からマッサージ・ベッド［図３］への基点は人体の寝起きの骨盤の基点距離が異なるので、懸垂装置（２）の握り棒を人体に合わせてマッサージ・チェア［図１］とリクライニング角度［図２］とマッサージ・ベット［図３］の手の届く位置の３点にそれぞれの懸垂棒を設けた。
【発明の詳細な説明】
【技術の分野】
【０００１】  腕の懸垂力を利用してワイヤーの伝導で背中のモミ玉が上下してマッサージ・チェアからマッサージ・ベッドへ変転し背中をほぐす。椅子状態で足のふくらはぎのマッサージもできる。伝導支点の働きで椅子からベッドに変化する機能をもつ医療機具に関するものである。
【背景技術】
【０００２】  従来から、自力で椅子に座ったまま状態から寝てもマッサージのできる、この併用した医療機具はなかった。元々から電気を使わない自力のマッサージ・チェアも自力のマッサージ・ベットは存在しなかった。
【発明の開示】
【発明が解決しようとする課題】
【０００３】  従来は、運動不足の人の身体は硬直しがちであった。この身体をほぐすためにはマッサージの必要な人も多く、動くのが嫌な人には椅子に座っていながら、ベッドで横になっていながらマッサージのできる医療機具が欲しかった。これらの人の問題点をなくすためのものである。
【課題を解決するための手段】
【０００４】  自分の腕の力だけでマッサージができる。椅子［図１］からリクライニング椅子［図２］に、ベッド［図３］にもなるマッサージの併用機能である。自力で懸垂力を兼ねると腕の運動にもなる。自力だから介助を軽減することができて気遣いも少なくなる。トイレも備えられる。以上のような構成にした。
【発明の効果】
【０００５】  運動不足の人にとって身体をほぐすのはマッサージ機である。それも自力で、要介護者にも腕力のある患者も多い。懸垂力を利用してマッサージができるのは今までになかった。椅子に座ったままで、リクライニング椅子で休息をしながら、ベッドで横になったままで、自力でマッサージができる。健康医療機器である。
【発明を実施するための最良の形態】
【０００６】  以下、本発明を実施するための最良の形態について説明する。
マッサージ・チェア［図１］の状態で懸垂装置（１）を引き寄せると、背中のモミ玉（５）がワイヤー（６）から滑車（７）を通じてローラーレール（４）を上がりマッサージができて、背もたれピンの差し替えでリクライニング椅子［図２］やベッド［図３］でもマッサージができる。下がりは力を緩めると下がりバネ（１４）が戻してくれる。足台（２２）は伝導支点（１２）の作用で同時に上がるがマッサージ・ベッド［図３］からマッサージ・チェア［図１］までは起き上がりバネ（１３）が起こしてくれる。この装置の動きに伴い手の届く位置がずれてくるので、懸垂装置（１）の懸垂棒を３本備えた。足のマッサージも伝導された足ローラーはね棒（１１）が上下して足ローラー（１０）を動かし足のふくらはぎをほぐす。排泄装置も取り付けを可能にした。ベッドにするにはベッド脚（１５）の着くまで下げるとよい。
【図面の簡単な説明】
【０００７】
【図１】  マッサージ・チェアの立面図である。
【図２】  マッサージ・リクライニング椅子の立面図である。
【図３】  マッサージ・ベッドの立面図である。
【図４】  マッサージ・チェアの正面断面図である。
【符号の説明】
【０００８】  １  懸垂装置
２  懸垂装置支点
３  背もたれ基点
４  もみ玉レール
５  モミ玉
６  ワイヤー
７  滑車
８  ひじ掛け
９  背もたれピン穴
１０  足ローラー
１１  足ローラーはね棒
１２  伝導支点
１３  起き上がりバネ
１４  下がりバネ
１５  ベッド脚
１６  ベッドストッパー
１７  背もたれストッパー
１８  はね棒バネ
１９  排泄タンク
２０  排泄装置
２１  背もたれ（ベッド台）
２２  足台
２３  座盤
２４  本体
【図１】
2011115521.tif 000003
【図２】
2011115521.tif 000004
【図３】
2011115521.tif 000005
【図４】
2011115521.tif 000006
(57)【要約】      （修正有）【課題】患者を車椅子からの乗り降りの介助、トイレへの移動、浴室でのシャワーなどを、患者自身でするための乗り変えなしの腰掛けキャスターつき椅子を提供する。【解決手段】車椅子に患者を乗せたままで、組み立て台に乗せると車椅子２の左右の車輪４が浮いて分解ができる。左右の車輪４を外し腰掛け椅子１に座ったままの体勢で移せる。これで屋内では食事のテーブルにつけて、卓上作業もでき、トイレの用たしも一人ででき、浴室でのシャワーも患者自身ができる。外出には車椅子で、屋内ではこの腰掛け椅子があれば介護の手助けができる。【選択図】図１
2011115525.tif 000002
【特許請求の範囲】
【請求項１】
患者を車椅子から降ろすことなく、車椅子の両サイドの車輪部分［図４］の２点と中央の腰掛け部分［図１］の３点に分解することで、一台の車椅子で外出用車椅子［図２］と屋内用キャスターつきの腰掛け椅子［図１］の２種類として使用ができる。
【請求項２】
分解される車椅子［図２］の中央は折り畳み腰掛け椅子［図１］と足置き腰掛け椅子［図５］、又はトイレ用腰掛け椅子［図６］の屋内用のキャスターつき腰掛け椅子（１）などの選択ができる。腰掛け部分と背もたれ部分のシートはシャワー用は防水性のあるものに、トイレ用は板状の蓋に背もたれはビニール袋で覆うのもよい。腰掛け椅子（１）の高さはキャスターで調整をする。
【請求項３】
組み立ての時でも患者を椅子に座らせたままで、左右の車輪部分［図４］を少し浮かす高さの組み立て台（３）にキャスターつき腰掛け椅子（１）を乗せる。この腰掛け椅子（１）か又は左右の車輪部分（４）に取り付けた半筒型セット金具（６）に左右の車輪部分（４）を嵌め込んで、背もたれ柱のセットピン（５）で固定する。分解はこれの逆の手順とする。
【発明の詳細な説明】
【技術の分野】
【０００１】  一般の一台の車椅子を左右車輪部分の２パーツと中央の腰掛け部分の３点に分解して、外出用は車椅子で、屋内用にはキャスターのついた腰掛け椅子として使用のできる２通りの椅子に関するものである。
【背景技術】
【０００２】  従来の車椅子は外出したままで屋内でも使用していた。狭い室内での行動範囲は限定され、そもそも日本家屋は車椅子で動き回るには向いていなかった。
【発明の開示】
【発明が解決しようとする課題】
【０００３】  車椅子の屋内使用には次のような欠点があった。患者の室内での行動に合わせて車椅子からの乗り降りをさせなければならなかった。テーブルでの食事や卓上での作業、入浴やトイレにも抱き抱えての移動であった。こんな問題点なくすための車椅子の分解である。
【課題を解決するための手段】
【０００４】  外出から帰った車椅子から患者を乗り降りさせることなく、屋内用のキャスターつき腰掛け椅子［図１］［図５］［図６］に移すには、車椅子を分解する必要があった。それには左右の車輪を僅かに浮かす組み立て台（３）と一般の車椅子の構造に多少の工作を加えることで簡単にこの作業ができるような構成にした。
【発明の効果】
【０００５】  外出は車椅子で、屋内ではキャスターつきの腰掛け椅子が便利である。テーブルでの食事や卓上での作業も、トイレ用での用たしは患者自身で、浴室でのシャワーも一人で椅子に座ったままでできるので、介護者のケアは半減させられる。
【発明を実施するための最良の形態】
【０００６】  以下、本発明を実施するための最良の扱いについて説明する。
腰掛け椅子（１）の分解手順はキャスターを組み立て台（３）に乗せて、左右の車輪（４）が空回りする程度に浮くようにする。これで背もたれの左右のセットピン（５）を緩めて抜くと左右の車輪部分（４）は半円筒セット金具（６）から外れて腰掛け椅子（１）だけが組み立て台（３）の上に残る。この台から降ろせば腰掛け椅子（１）だけで動かせる。この腰掛け椅子高さはキャスターの高さ調整（８）のネジでする。車椅子（２）に組み立てるのはこれの逆の手順で行う。
【図面の簡単な説明】
【０００７】
【図１】  折り畳みの腰掛け椅子の斜視図である。
【図２】  車椅子の組み立て完成斜視図である。
【図３】  組み立て又は分解台の斜視図である。
【図４】  左右の車輪部分の分解斜視図である。
【図５】  足置き用腰掛け椅子の斜視図である。
【図６】  トイレ用腰掛け椅子の斜視図である。
【符号の説明】
【０００８】  １  腰掛け椅子
２  車椅子
３  組み立て台
４  左右の車輪部分
５  セットピン
６  半円筒セット金具
７  キャスター
８  キャスターの高さ調整
９  防水性シート
１０  肘掛けカバー
【図１】
2011115525.tif 000003
【図３】
2011115525.tif 000004
【図４】
2011115525.tif 000005
【図５】
2011115525.tif 000006
【図６】
2011115525.tif 000007
【手続補正書】
【提出日】平成22年2月5日(2010.2.5)
【手続補正２】
【補正対象書類名】図面
【補正対象項目名】全図
【補正方法】変更
【補正の内容】
【図１】
2011115525.tif 000008
【図２】
2011115525.tif 000009
【図３】
2011115525.tif 000010
【図４】
2011115525.tif 000011
【図５】
2011115525.tif 000012
【図６】
2011115525.tif 000013
(57)【要約】【課題】従来、おかずの盛り付け用に使用される仕切りやピックは、野菜の形状はしてなかった。したがって、食べる目的でなく見映えを良くする為に飾り用の野菜を用意しなければならなかった。それを解決するために、本物の野菜の色や形状に似せて作った飾り用仕切りとピックを提供する。【解決手段】（１）サラダ菜など葉物野菜の形状をした仕切りを作る。（２）パセリなど棒状野菜の形状をしたピックを作る。【選択図】図１
2011115529.tif 000002
【特許請求の範囲】
【請求項１】
野菜の形状をした料理・弁当に使用する飾り。
【請求項２】
サラダ菜の形状をした料理・弁当の飾り用のおかず仕切り。
【請求項３】
パセリの形状をした料理・弁当に使用する飾り用のおかずピック。
【発明の詳細な説明】
【技術分野】
【０００１】この発明は、野菜の形状を模した仕切りやピックで料理や弁当のおかずを飾る為に使うものである。
【背景技術】
【０００２】従来、料理や弁当を飾る仕切りやピックは野菜の形状をしていない。
【発明の開示】
【発明が解決しようとする課題】
【０００３】これは、次のような問題点があった。
料理や弁当のおかずを盛り付ける時、少量の彩り野菜でひき立てる為に食べる目的がなくても本物の野菜を用意しなくてはならなかった。
本発明は、以上のような欠点をなくすためになされたものである。
【課題を解決するための手段】
【０００４】おかずを飾るための仕切り・ピックを本物の野菜の形状に似せる。
この本物の野菜に似せた仕切り・ピックをおかずの盛り付けに使用する。
【発明の効果】
【０００５】食べる目的でない盛り付け用の野菜は用意しなくてよい。
この野菜の形状をした仕切り・ピックをおかずの盛り付けに使用すると、料理や弁当の彩り、見映えがよくなり、洗って繰り返し使用できるという利点もある。
【発明を実施するための最良の形態】
【０００６】以下、本発明の実施例について説明する。
（１）おかずの仕切りに使用する飾りは、サラダ菜など葉物野菜の形状をしている。
（２）おかずに使用するピックは、パセリ等軸付き野菜の形状をしている。
【図面の簡単な説明】
【０００７】
【図１】本発明の斜視図である。
【符号の説明】
【０００８】（１）サラダ菜の形状をしたおかず用仕切り。
（２）パセリの形状をしたおかず用ピック。
【図１】
2011115529.tif 000003
(57)【要約】      （修正有）【課題】車椅子を動かすのにハンドリングだけでは高齢者や女性の腕や手や肩に負担がかかり、腕力のない患者には長距離や登坂などの走行は無理になっていた。また手の悪い患者にはハンドリングの走行はできなかった。これらの走行移動は介助者を頼りにせねばならなかった。こんな車椅子の走行には本装置を提供する。【解決手段】自然な体勢として車椅子の座席の前方で胸の高さでペダルを回すことで長距離や坂道なども身体に無理なく車椅子は動かせる。また、車椅子に座った状態でハンドリングで助勢をしながら足踏みでリハビリもでき、手に障害のある人は足踏みでも車椅子は動かせる。ギアの大きさでスピードや腕や足の力に調整は可能になる。また変速機も取り付けられる。ハンドルとブレーキは両肘掛けのレバーで操作はできる。これらの特徴を有する。【選択図】図６
2011115522.tif 000002
【特許請求の範囲】
【請求項１】
車椅子は自走式でも介助式でもよいが折り畳みはできなくなる。座席の前方に横パイプを設けて、これを基軸（２）として装置本体（１）をトッテ（１６）で引き上げて車椅子（１９）の前方へ立て掛けると［図１］［図６］になり、座席の下への収納［図２］［図７］をすることで、これで通常の車椅子（１９）になる。
【請求項２】
手回し［図１］［図６］の場合と、足回し［図２］［図７］の場合の両走行において、折り畳みペダル（１４）を開き回することにより、第一ギア（３）から伝導チエーン（８）で第二ダブルギア（４）へ第三後輪ギア（５）に伝わり後輪（１７）を回して動く車椅子（１９）となる。ギアの大きさはスピードやペダルを回す力具合で調整する。
【請求項３】
左右のハンドル兼ブレーキ（１５）は、ハンドルとして操作するのは、後輪（１７）の片方のタイヤに抵抗をかけることにより回転を押さえて、その方向に向くようになる。またブレーキは両側のレバーを強く引くとブレーキがかかる。
【請求項４】
装置本体（１）を立て掛け［図１］ても、倒し［図２］ても、伝導チェーンの長さは変わらない基軸（２）の位置にしている。第三後輪ギア（５）には後輪遊びギア（７）を設けて自転車の変速機の作用と同じにして手押し車椅子（１６）の際に備える。伝導チェーン（８）の弛みには、サブギア（６）を設けてバネでチェーンの張りを調整する。
【発明の詳細な説明】
【技術の分野】
【０００１】  座席の前方の横パイプを基軸として座席の下から前方に装置本体のトッテを引き上げて立て掛ける。装置本体をストッパー棒とリングで固定して折り畳みペダルを開き手で回す。また倒した状態にして同じく固定して足でペダルを踏むとギアと伝導チエーンで後輪が回転して前進する車椅子に関するものである。
【背景技術】
【０００２】  従来、車椅子の移動は自走式のハンドリングを手で回すか、介助により誰かに押して動かす方法しかなく、一人で長時間、登坂などの走行には無理があった。
【発明の開示】
【発明が解決しようとする課題】
【０００３】  従来から次のような問題点があった。自走式ではハンドリングだけでは長時間走行や登坂などは無理があり、腕の力が不可欠で疲れることもあった。介助式では誰かの手を借りなければならなかった。また、手の不自由な人には自走はできなかった。
【課題を解決するための手段】
【０００４】  車椅子の手を使うハンドリング（１８）と折り畳みペダル（１４）を手で回す組み合わせにより長時間、登坂の車椅子の走行ができる。更にこの装置を座席の下に収納［図２］［図７］してハンドリング（１８）で助勢をしなから、足で折り畳みペダル（１４）を踏むことにより足のリハビリにもなる。更に自走式や介助による通常の車椅子にもなる。以上な構成によるものである。
【発明の効果】
【０００５】  車椅子を前進さす体勢として、長時間では座席の前でペダルを手で回すことの方が無理なく走行できる。またハンドリングで助勢しながら、足でペダルを踏んでリハビリもできる。手の不自由な人でも足で自走ができる。ペダルを畳み座席の下に収納すれば通常の車椅子として使用ができる。車椅子の移動で手と足の使えることを加えたことで利用度が増し効果的になる。
【発明を実施するための最良の形態】
【０００６】  以下、本発明を実施するための最良の形態について説明する。
座席の下に収納［図２］された装置本体（１）を座席の前方の横パイプを基軸（２）としてトッテ（１６）で引き上げて両足の間に立て［図１］てストッパー棒（１２）を両肘リング（１０）と本体のリング（９）に通してストッパーピン（１３）を差すと装置本体（１）は車椅子（１９）に固定される。これで折り畳みペダル（１４）を開いて手で回せば［図６］第一ギア（３）が回り伝導チエーン（８）で第二ダブルギア（４）から後輪の第三ギア（５）が回り前進する。この場合の伝導チエーン（８）の弛まないようにサブギア（６）が働く。また足踏み［図７］状態や収納の時にはストッパー棒（１２）を両肘リング（１０）から両膝リング（１１）に通し変えストッパーピン（１３）を差し替えれば固定され足踏み［図７］車椅子として前進させられる。両肘掛けハンドル兼ブレーキ（１５）で後輪タイヤに抵抗を与えると左右どちらにも曲がりハンドル代わりとなる。両側を強く押すとブレーキにもなる。各ギアの大きさの設定でスピードと力具合が調整できる。通常の車椅子（１９）に戻すには伝導チエーン（８）を後輪遊びギア（７）に移す。これは自転車の変速機の作用と同じとするが、ここに変速機を取り付けることもできる。
【図面の簡単な説明】
【０００７】
【図１】  装置の手回し横面図である。
【図２】  装置の足踏み横面図である。
【図３】  装置の手回し正面図である。
【図４】  装置の足踏み正面図である。
【図５】  装置の各部の拡大図である。
【図６】  装置の手回し斜視図である。
【図７】  装置の足踏み斜視図である。
【符号の説明】
【０００８】  １  装置本体
２  基軸
３  第一ギア
４  第二ダブルギア
５  第三後輪ギア
６  サブギア
７  後輪遊びギア
８  伝導チエーン
９  本体リング
１０  両肘リング
１１  両膝リング
１２  ストッパー棒
１３  ストッパーピン
１４  折り畳みペダル
１５  両肘ハンドル兼ブレーキ
１６  トッテ
１７  後輪
１８  ハンドリング
１９  車椅子
【図１】
2011115522.tif 000003
【図２】
2011115522.tif 000004
【図３】
2011115522.tif 000005
【図４】
2011115522.tif 000006
【図５】
2011115522.tif 000007
【図６】
2011115522.tif 000008
【図７】
2011115522.tif 000009
(57)【要約】【課題】  整形外科での骨接合手術で骨穿孔ドリルするときに、対面の血管、神経などを損傷しないように過剰ドリリング抑止機能を備えた、手前引き出し型ドリルストッパー付きドリルガイドを提供しようとするものである。【解決手段】  ドリルガイド（１）の誘導筒（２）に外筒ドリルストッパー（３）を設け、誘導筒表面には小突起（４）を設け、外筒ドリルストッパー（３）には手前引き出しして小突起（４）にそって移動できる軸方向のスリット状の窓（５）と、小突起（４）を横滑りして長さを規定する横滑りスリット窓（６）を数ｍｍ間隔で設ける。これによって、誘導筒（２）と外筒ドリルストッパー（３）を重ね合わせた長さは数ｍｍ単位で調節固定でき、過剰ドリリング抑止機能を備えた、手前引き出し型ドリルストッパー付きドリルガイドを提供することができる。【選択図】図２
2011115515.tif 000002
【特許請求の範囲】
【請求項１】
ドリルガイドの誘導筒の同軸にドリルストッパー用の筒を設け、それを手前に引き出して長さを調節して留めるようにしてドリル進行距離を制御する、手前引き出し型ドリルストッパー付きドリルガイド
【発明の詳細な説明】
【技術分野】
【０００１】  この発明は、整形外科での骨折などに対する骨接合手術用のドリル誘導器具として、過剰ドリリング抑止機能すなわちドリルストッパー機能を備えた手前引き出し型ドリルストッパー付きドリルガイドに関するものである。
【背景技術】
【０００２】  従来の整形外科での骨折手術時に骨穿孔ドリルするときに、周囲の組織を保護したり、ドリル軸を定める目的でドリルガイドが使用されてきた。そうしたドリルガイドに過剰ドリリング抑止機能を備えたものは種々存在するが、手前引き出し型ドリルストッパー付きドリルガイドはこれまで使われていないようである。【０００３】
【発明の概要】
【発明が解決しようとする課題】
【０００４】  ドリルガイドに過剰ドリリング抑止機能を備えるために、そのドリルガイドの誘導筒の同軸にドリルストッパー用の筒を設ける。そして、長管骨の骨穿孔ドリル時にドリル先端によって手前の皮質骨を貫きドリル抵抗は弱まったのち、対面の皮質骨に達してドリル抵抗が再び強くなった時点で、ドリルストッパー用の筒を手前に引き出して長さを調節して留めるようにしてドリル進行距離を制御する。そのような手前引き出し型ドリルストッパー付きドリルガイドを提供しようとするものである。
【課題を解決するための手段】
【０００５】  図１、図２、図３、図４、図５に示すように、ドリルガイド（１）の誘導筒（２）にあわせて同軸にさらに外筒ドリルストッパー（３）を設け、誘導筒表面には小突起（４）を設け、外筒ドリルストッパー（３）には手前引き出しして長さを調節できるように小突起（４）にそって移動できる軸方向のスリット状の窓（５）と、小突起（４）を横滑りして長さを規定する横滑りスリット窓（６）を数ｍｍ間隔で設ける。これらの機構によって、ドリルガイド（１）の誘導筒（２）と外筒ドリルストッパー（３）を重ね合わせた長さは数ｍｍ単位で調節固定できる。ドリル軸（７）はドリル本体（８）に接続されており、その接続部からドリル先端（９）までの長さからドリルガイドの誘導筒（２）と外筒ドリルストッパー（３）を重ね合わせた長さを差し引いた距離以上にはドリル先端（９）は進行しない。それによってドリル進行距離の制御機能すなわち過剰ドリリング抑止機能を備えることができる。【０００６】  なお、ドリルガイドの取っ手（１０）は、外筒ドリルストッパー（３）の滑走の支障にならぬように、ドリルガイドの誘導筒（２）の先端近くに設ける。
【発明の効果】
【０００７】  図３のように、長管骨の断面（１１）は管状の皮質骨とその内腔からなっており、ドリル先端（９）によって手前の皮質骨（１２）を貫いたあとドリル抵抗は弱まり、対面の皮質骨（１３）に達するとドリル抵抗がやや強くなる。その時点で図４のようにドリル先端（９）の進行距離を数ｍｍの対面の皮質骨（１３）の深さ分を残した状態で、ドリルガイド（１）の誘導筒（２）に対して外筒ドリルストッパー（３）を手前に引き出して長さを調節し、誘導筒（２）の小突起（４）を外筒ドリルストッパー（３）の横滑りスリット窓（６）に移動するようにして長さを固定することによって、ドリル先端（９）は数ｍｍ以上は進行しないことになる。それによって過剰ドリリング抑止機能がえられる。そこで、さらに図５のようにドリリングをすすめ、長管骨の対面の骨皮質（１３）を貫いた直後に、神経、血管、筋腱組織などを損傷することなくドリル先端（９）を停止させることができる。
【図面の簡単な説明】
【０００８】
【図１】本発明の骨穿孔ドリル開始前の外観図
【図２】本発明の誘導筒に外筒ドリルストッパーを手前に引き出して重ね合わせ、長さを調節した外観図
【図３】本発明を用いて骨穿孔ドリルし手前の皮質骨を貫き、対面の皮質骨に達した断面図
【図４】本発明を用いて骨穿孔ドリルし対面の皮質骨に達し、誘導筒に外筒ドリルストッパーを手前に引き出して重ね合わせ、長さを調節した断面図
【図５】本発明を用いて骨穿孔ドリルし、対面の皮質骨を貫いた直後にドリル先端が停止した断面図
【発明を実施するための形態】
【０００９】  以下、本発明の実施の形態を図１、図２、図３、図４、図５に基づいて説明する。
【００１０】  ドリルガイド（１）の誘導筒（２）にあわせて同軸にさらに外筒ドリルストッパー（３）を設け、誘導筒表面には小突起（４）を設け、外筒ドリルストッパー（３）には手前引き出しして長さを調節できるように小突起（４）にそって移動できる軸方向のスリット状の窓（５）と、小突起（４）を横滑りして長さを規定する横滑りスリット窓（６）を数ｍｍ間隔で設ける。これらの機構によって、ドリルガイド（１）の誘導筒（２）に対して外筒ドリルストッパー（３）を手前に引き出して長さを調節し、誘導筒の小突起（４）を外筒ドリルストッパーの横滑りスリット窓（６）に移動するようにして、誘導筒（２）と外筒ドリルストッパー（３）を重ね合わせた長さは数ｍｍ単位で調節固定できる。ドリル軸（７）はドリル本体（８）に接続されており、その接続部からドリル先端までの長さからドリルガイドの誘導筒（２）と外筒ドリルストッパー（３）を重ね合わせた長さを差し引いた距離以上にはドリルは進行しない。それによってドリル進行距離の制御機能すなわち過剰ドリリング抑止機能を備えることができる。
【符号の説明】
【００１１】  １  ドリルガイド
２  誘導筒
３  外筒ドリルストッパー
４  小突起
５  軸方向のスリット状の窓
６  横滑りスリット窓
７  ドリル軸
８  ドリル本体
９  ドリル先端
１０  取っ手
１１  長管骨の断面
１２  手前の骨皮質
１３  対面の骨皮質
【図１】
2011115515.tif 000003
【図２】
2011115515.tif 000004
【図３】
2011115515.tif 000005
【図４】
2011115515.tif 000006
【図５】
2011115515.tif 000007
(57)【要約】【課題】睡眠中に掛け布団などが、ズレたり、ズレ落ちたりする。本発明は、掛け布団などが、ズレたり、ズレ落ちなくするための、寝布団のズレ留めバンド用具を提供する。【解決手段】バンドの両側に挟み具を設け敷き布団と毛布をセットにしてズレ落ちないようにする。【選択図】図１
2011115520.tif 000002
【特許請求の範囲】
【請求項１】
睡眠時に掛け布団や毛布などがズレたり、ズレ落ちないようにバンドを設ける。バンドの片側に丸カンで挟み具をつけ毛布などを挟み、もう片側にも丸カンで挟み具をつけ敷き布団を挟むことでズレ落ちないようにする。ベッド用はバンドの片側にゴムなどを貼りつけ、またゴム等の物により剥がれぬようミシンで縫い付けて、マットの下に差し込む。もう片側に丸カンで挟み具を設け掛け布団などを挟みズレたりズレ落ないようにする寝布団のズレ留めバンド具。
【発明の詳細な説明】
【技術分野】
【０００１】  本発明は、就寝時に掛け布団や毛布などがズレ落ちないようにする寝布団のズレ留めバンド用具に関するものである。
【背景技術】
【０００２】  従来、掛け布団などがズレたり、ズレ落ちないように紐などを回す、また敷き布団やベッド周りを枠などで囲むか１部を柵のようにガードで囲むやり方がある。
【発明の開示】
【発明が解決しょうしょうとする課題】
【０００３】  紐で縛るのは誰かに手を借りないとできない。枠で囲む方法の製品は沢山あるが仕事場や子供ベッドみたいで一般家庭では大人は睡眠など取れない。また１方を壁などにつけても片方に落ちないようにはできない。寝ていると知らぬ間に掛け布団や毛布などがズレたり、ズレ落ちたりする。
本発明は、以上の問題点を解決するためになされたものである。
【課題を解決するための手段】
【０００４】  睡眠中毛布などがズレ落ちないようにするためバンドを設ける、バンドの両側に丸カンで挟み具をつけ、片端は毛布などを挟みもう片端は敷き布団を挟む。またベッド用にはベルトの片端に丸カンで挟み具をつけ毛布などを挟み、もう片端はゴム貼りにしベッドとマットの間に差し込む。バンドはゴム入りなどを使い弾力性を持たせる。
以上の構成よりなる寝布団のズレ留めバンド具。
【発明の効果】
【０００５】  誰の手も借りずに簡単にセットでき、邪魔になる枠もなく、確実に布団や毛布のズレ落ちを防ぐことができるので、寒くなり目覚めたり、カゼひいたりする心配もなく、安心して熟睡できる。
【発明を実施するための最良の形態】
【０００６】  以下、本発明の実施の形態を説明する。
（イ）  毛布（１）と敷き布団を結合させるために、バンド（４）の両端に丸カンで挟み具（２）を設ける。
（ロ）  バンド（４）の片端のゴム貼り（８）をマット（３）の下に差し込みもう片端を丸カン（６）で挟み具（２）をつけて毛布などを挟む。
（ハ）  バンド（４）と挟み具（３）をドッキングする丸カン（６）を設ける。
（ニ）  挟み具（２）の先の挟む所にぎざぎざやゴム付け（８）で滑りをなくす。
本発明は以上のような構造である
これを実際に使用するときは、毛布（１）と敷き布団にバンド（４）でセットにして使用することでズレたり、ズレ落ちなくする。バンド（４）は片端を丸カンで挟み具を設け敷き布団やマット（３）の下に差し込む、もう片端を丸カンで挟み具に毛布などを挟む。バンド（４）の両端に挟み具を設け片端を敷き布団など挟み、もう片端に毛布などを挟み結合する。毛布（１）と敷き布団の組み合わせ替えで、季節に合わせられる。バンド（４）は椅子席で膝かけ前かけが落ちないようにも使用できる。バンド（４）はゴム入りなどを使い弾力性を持たす、挟むところにはぎざぎざやゴム付け（８）などで引き抜けぬようにする。
【図面の簡単な説明】
【０００７】
【図１】  本発明の使用状態における斜視図
【図２】  本発明の平面図
【図３】  本発明の平面図
【符号の説明】
【０００８】  （１）毛布  （２）挟み具  （３）マット  （４）バンド  （５）ベッド  （６）丸カン  （７）ゴム貼り  （８）ゴム付け
【図１】
2011115520.tif 000003
【図２】
2011115520.tif 000004
【図３】
2011115520.tif 000005
(57)【要約】【課題】入浴の際・労働・スポーツに使用してズリ落ちない便利な多機能タオルを提供する。【解決手段】タオルを腰に巻いても，頭に巻いても，ヒモを使って軽く縛り，タオルがズリ落ちない様に，又労働・趣味・スポーツ・自転車に乗る時等飛ばないように輪にして掛け，必要時は即座に使用出来る便利さを特徴とする。【選択図】図１
2011115514.tif 000002
【特許請求の範囲】
【請求項１】
浴槽に入る時や労働・スポーツをする時，タオルを腰・額等に巻きますがズリ落ちて来ます。そのズリ落ち予防にタオルの端に穴をあけ，もう片方の端に紐をつけてタオルの上から軽く縛ります。
体に密着し手で押さえなくてもタオルが落ちません。
ランニングマシンや自転車に乗る時等も輪にして掛け必要な時には直ぐ利用できる便利さを特徴とする多機能タオル。
【請求項２】
【発明の詳細な説明】
【技術分野】
【０００１】この発明は，タオルを体の一部に巻き付けて行動してもタオルがズリ落ちない様に紐で縛って置くことが出来る多機能タオルであり，ランニングマシンの様な場合でも傍に置いて必要時は即使用出来るタオルに関する。
【背景技術】
【０００２】従来より，タオルは色々あるが本発明の多機能タオルの様にここまで便利なタオルは他に見当たらない。
【発明の開示】
【発明が解決しようとする課題】
【０００３】タオルは，観光・趣味・スポーツ・労働・日常生活等あらゆる所で必要とされるものであるが，手が塞がっている時などは中々大変不便な事が多い。
本発明では，タオルの端に穴をあけ，反対側の端に紐を付ける事より頭・首・腰に巻き付ける等して便利に使用出来るようにした。
又，トレーニングマシンや自転車のような場合でも輪にして飛ばない様に掛け必要な時は即座に使用出来るように考え，従来のタオルの不便さをなくした多機能タオルを提供する事を目的として開発したものである。
【課題を解決する手段】
【０００４】課題を解決するために本発明は，以下の構成とした。
一般のタオルは，頭・腰に巻き付けるとうまく定着しない，その為タオルの端に穴をあけ，もう片方の端に紐を付けることにした。
これにより，紐で縛ることにより体に定着し易く他人に見せたくない所は容易に隠せる構造にした多機能タオルである。
【発明の効果】
【０００５】本発明は，下記の効果を有する。
浴槽に入る時，他人に見せたくない部分を手を使わずに容易に隠せる事と，労働・スポーツ等で手が塞がっていても傍に置き，容易に使用出来る。
【発明を実施するための最良の形態】
【０００６】    以下，本発明の実施形態について説明する。
本発明の名称  多機能タオルは温泉で浴槽に入る時，タオルで前を隠すため腰にタオルを巻く。浴槽に入る時，額にタオルを巻く。
その際にタオルがズリ落ちないように図１，図４，５，６，の様に紐で縛って必要な箇所に固定させる事が出来る。
尚  図１の様に紐を収納する収納袋を付けてあるため，間違って時計・指輪を付けたまま浴槽まで来てしまっても，紐の入っている収納用ポケットから紐を取り出した後は空になるので，そこに時計を入れてタオルを頭に巻き付けておけばいちいち脱衣場や部屋まで戻らなくても良いので便利である。
暑い季節に労働をする時等は首にもタオルを巻く，汗が目に入らないように額にタオルを巻く。運動をする時等も額にタオルを巻く事がある。
何れもタオルがズリ落ちてきて大変不便であるが，これらを解消するために図１  の様に本発明では，タオルの端に穴をあけ，もう片方の端には紐をつけて軽く縛って，ズリ落ちない様にして安心して且つ便利に利用出来るようにした。【０００７】次に多機能タオルの別な用途を説明する。
図８の様にランニングマシンを使用中は傍に輪にして掛ける，図７の様に自転車走行中等はハンドル等に多機能タオルを輪にして掛けながら行動する。
タオルが飛ばないし，タオルを必要とする時は，即座に使用出来るため極めて便利である。
【図面の簡単な説明】
【０００８】
【図１】本説明の平面図
【図２】本説明の側面図
【図３】本説明の斜視図
【図４】本説明の頭巻時
【図５】本説明の首巻時
【図６】本説明の腰巻時
【図７】本説明の自転車掛時
【図８】本説明のランニングマシン
【図９】
【符号の説明】
【０００９】１    タオル
２    ヒモ受け穴
３    ヒモ
４    ヒモ収納用ポケット
【図１】
2011115514.tif 000003
【図２】
2011115514.tif 000004
【図３】
2011115514.tif 000005
【図４】
2011115514.tif 000006
【図５】
2011115514.tif 000007
【図６】
2011115514.tif 000008
【図７】
2011115514.tif 000009
【図８】
2011115514.tif 000010
【手続補正書】
【提出日】平成22年2月1日(2010.2.1)
【手続補正１】
【補正対象書類名】明細書
【補正対象項目名】０００８
【補正方法】変更
【補正の内容】
【０００８】
【図１】  本説明の平面図
【図２】  本説明の側面図
【図３】  本説明の頭巻時
【図４】  本説明の首巻図
【図５】  本説明の腰巻図
【図６】  本説明の自転車掛図
【図７】  本説明のランニングマシン
【手続補正２】
【補正対象書類名】特許請求の範囲
【補正対象項目名】全文
【補正方法】変更
【補正の内容】
【特許請求の範囲】
【請求項１】
浴槽に入る時や労働・スポ−ツをする時，タオルを腰・額等に巻きますがズリ落ちて来ます。そのズリ落ち予防にタオルの端に穴をあけ，もう片方の端に紐をつけてタオルの上から軽く縛ります。
体に密着し手で押さえなくてもタオルが落ちません。
ランニングマシンや自転車に乗る時等も輪にして掛け必要な時には直ぐ利用できる便利さを特徴とする多機能タオル。
【手続補正３】
【補正対象書類名】図面
【補正対象項目名】全図
【補正方法】変更
【補正の内容】
【図１】
2011115514.tif 000011
【図２】
2011115514.tif 000012
【図３】
2011115514.tif 000013
【図４】
2011115514.tif 000014
【図５】
2011115514.tif 000015
【図６】
2011115514.tif 000016
【図７】
2011115514.tif 000017